(57)【要約】【課題】  構内用電話機において、使用されていない間の消費電力を低減することを目的とする。【解決手段】  構内交換システムは、移動体通信網NW２と通信接続する構内交換機１００と、構内交換機１００を介して通話する複数の構内用電話機２００を有し、構内交換機１００は、構内用電話機２００に移動体通信網NW２と無線通信する移動端末装置３００を対応付ける対応付け設定情報と、移動端末装置３００と構内用電話機２００が連携して動作する連携動作を有効または無効に設定する連携設定情報と、を記憶する。構内用電話機２００には、連携動作の有効または無効の設定情報を記憶する連携設定記憶手段２０９を備え、連携動作を有効化することを示す有効化指示を受けた場合に、連携設定記憶手段２０９に記憶される設定情報２０９−１を、有効となるよう制御する連携動作有効化し、省電力モードへ移行する処理を行う。【選択図】  図９
2011182265.tif 000002
【特許請求の範囲】
【請求項１】
移動体通信網と通信接続する構内交換機と、前記構内交換機を介して通話する複数の構内用電話機を有し、
前記構内交換機には、前記構内用電話機に前記移動体通信網と無線通信する移動端末装置を対応付ける対応付け設定情報と、前記移動端末装置と前記構内用電話機が連携して動作する連携動作を有効または無効に設定する連携設定情報と、を記憶する記憶部を備える構内交換システムに設けられる構内用電話機であって、
前記連携動作の有効または無効の設定情報を記憶する連携設定記憶手段と、
前記連携動作を有効化することを示す有効化指示を受けた場合に、前記連携設定記憶手段に記憶される設定情報を、有効となるよう制御する連携動作有効化手段と、
前記有効化指示を受けた場合に、省電力モードへ移行する処理を行う省電力モード移行処理手段と
を備えることを特徴とする構内用電話機。
【請求項２】
前記省電力モードの処理の種類を複数記憶する省電力モード情報記憶手段をさらに備え、
前記省電力モードは、前記有効化指示に伴って、前記省電力モード情報記憶手段に記憶される省電力モードの何れかが選択されることを特徴とする請求項１に記載の構内用電話機。
【請求項３】
前記省電力モード中に、前記連携動作を無効化することを示す無効化指示を受けた場合に、前記省電力モードを解除することを特徴とする請求項１に記載の構内用電話機。
【請求項４】
前記有効化指示は、前記移動端末装置から送信されることを特徴とする請求項１に記載の構内用電話機。
【請求項５】
前記有効化指示に対応付けられるファンクションキーをさらに備え、
前記有効化指示は、前記ファンクションキーを押下された場合に出力されることを特徴とする請求項１に記載の構内用電話機。 
【発明の詳細な説明】
【技術分野】
【０００１】
本発明は、例えば、ＦＭＣ（Fixed Mobile Convergence）に用いられる構内用電話機で消費される電力の低減に関する。
【背景技術】
【０００２】
近年、携帯電話やＰＨＳ（Personal Handy-phone System）等の移動端末装置が普及し、１人が１台の移動端末装置を所持するようになった。これに伴い、固定電話機と移動端末装置とを別々のシステムとして使用するだけでなく、固定電話機と移動端末装置とが融合したＦＭＣ（Fixed Mobile Convergence）サービスが注目されている。このＦＭＣサービスは、例えば、企業の構内交換システムに接続された固定電話機（構内用電話機）が自席に置かれたユーザは自席では固定電話機を使用し、外出時は内線電話機の電話番号を用いて移動端末装置で発着信する等、ＦＭＣサービスを利用することで、構内交換システム内と同様の電話番号を用いての発着信等、構内交換システム内の固定電話機を用いた場合と同様のサービスを構内交換システムの外で移動端末装置から利用できるというものである。
【０００３】
このようなＦＭＣサービスの使用方法の多くは、ユーザが自席にいる場合には固定電話機を使用し、外出したり席を外したりする場合に、固定電話機と移動端末装置との連携機能（ＦＭＣ連携機能）を開始（有効化）して移動端末装置を使用するというものである。このとき、ユーザが移動端末装置を使用すると明示的に示している状況、すなわち、ＦＭＣ連携機能を「有効」に設定している場合、ユーザは移動端末装置を使用するため固定電話機は使用されない。しかしながら、その間も固定電話機は、着信があれば鳴動処理が行われ、ディスプレイへの表示も継続される。その結果、使用されない固定電話機であるにも関わらず、その固定電話機への電力供給が継続され、省エネルギー化の観点から無駄が多い。
【０００４】
なお、電話機における、使用されない時間帯の消費電力低減に関する技術として、例えば、特許文献１が知られている。
【先行技術文献】
【特許文献】
【０００５】
【特許文献１】特開平７−１６２９１４号公報
【発明の概要】
【発明が解決しようとする課題】
【０００６】
ＦＭＣ連携機能に用いられる構内用電話機は、ＦＭＣ連携機能が「有効」に設定されている場合、その構内用電話機が使用されないにも関わらず、鳴動処理やディスプレイへの表示を行うなど、ＦＭＣ連携機能が「無効（連携しない）」に設定されている場合と同様の処理を行うため、消費電力の無駄が多いという問題がある。
【０００７】
そこで、本発明は、構内用電話機において、使用されていない間の消費電力を低減することを目的とする。
【課題を解決するための手段】
【０００８】
上記目的を達成するために、本発明によるＩＰ電話機は、移動体通信網と通信接続する構内交換機と、前記構内交換機を介して通話する複数の構内用電話機を有し、前記構内交換機には、前記構内用電話機に前記移動体通信網と無線通信する移動端末装置を対応付ける対応付け設定情報と、前記移動端末装置と前記構内用電話機が連携して動作する連携動作を有効または無効に設定する連携設定情報と、を記憶する記憶部を備える構内交換システムに設けられる構内用電話機であって、前記連携動作の有効または無効の設定情報を記憶する連携設定記憶手段と、前記連携動作を有効化することを示す有効化指示を受けた場合に、前記連携設定記憶手段に記憶される設定情報を、有効となるよう制御する連携動作有効化手段と、前記有効化指示を受けた場合に、省電力モードへ移行する処理を行う省電力モード移行処理手段とを備えることを特徴とする。
【発明の効果】
【０００９】
本発明による構内用電話機によれば、使用されていない間の消費電力を低減することができる。
【図面の簡単な説明】
【００１０】
【図１】本発明の一実施の形態に係る構内交換システムの構成を示すブロック図。
【図２】図１の構内交換システムに設けられる構内交換機の構成を示すブロック図。
【図３】図２の構内交換機が有するＦＭＣ設定データベースに記憶される情報の例を示す図。
【図４】図３のＦＭＣ設定データベースに記憶されるＦＭＣ設定情報の例を示す図。
【図５】図１の構内交換システムに設けられる構内用電話機の構成を示すブロック図。
【図６】図６の構内用電話機が有するＦＭＣ設定データベースに記憶される情報の例を示す図。
【図７】図６のＦＭＣ設定データベースに記憶されるＦＭＣ設定情報の例を示す図。
【図８】図６のＦＭＣ設定データベースに記憶される省電力モード情報を示す図。
【図９】本発明の一実施の形態に係るＦＭＣ連携機能の有効化を行うシーケンス図。
【図１０】本発明の一実施の形態に係る構内交換機のＦＭＣ連携機能の有効化処理手順を示すフローチャート。
【図１１】本発明の一実施の形態に係る構内用電話機のＦＭＣ連携機能の有効化処理手順を示すフローチャート。
【図１２】図１１に示す構内用電話機のＦＭＣ省電力モードへの移行処理を行うＬＣＤ制御部の処理手順を示すフローチャート。
【図１３】図１１に示す構内用電話機のＦＭＣ省電力モードへの移行処理を行う鳴動制御部の処理手順を示すフローチャート。
【図１４】本発明の一実施の形態に係るＦＭＣ連携機能の有効化を行うシーケンス図。
【図１５】本発明の一実施の形態に係る構内交換機のＦＭＣ連携機能の無効化処理手順を示すフローチャート。
【図１６】本発明の一実施の形態に係る構内用電話機のＦＭＣ連携機能の無効化処理手順を示すフローチャート。
【図１７】図１６に示す構内用電話機のＦＭＣ省電力モードの解除処理を行うＬＣＤ制御部の処理手順を示すフローチャート。
【図１８】図１６に示す構内用電話機のＦＭＣ省電力モードの解除処理を行う鳴動制御部の処理手順を示すフローチャート。
【発明を実施するための形態】
【００１１】
以下、本発明の実施例を、図面を参照して説明する。
【実施例】
【００１２】
図１は、本発明の一実施の形態を示す構内交換システムの構成を示すブロック図である。  
構内交換システムは、構内交換機１００、スイッチ４００、および複数の構内用電話機２００−１〜２００−ｎ（ｎは２以上の自然数。）を有する。構内交換機１００は、スイッチ４００を介さずに構内用電話機２００の（構内用電話機２００−１〜２００−ｎを総称して構内用電話機２００と称する。）一部または全てを接続する構成でもよいが、ここでは、スイッチ４００を介した構成を例として示している。また、構内交換機１００と接続する事業者通信網ＮＷ１は、移動体通信網ＮＷ２と接続される。移動体通信網ＮＷ２に設けられる無線基地局装置（図示せず）と無線通信する移動端末装置３００は、移動体通信網ＮＷ２、事業者通信網ＮＷ１、構内交換機１００、およびスイッチ４００を介して、構内用電話機２００と通話が可能である。なお、図１では、移動端末装置３００を１台のみ図示したが、移動体通信網NW２には、複数台の移動端末装置３００が通信可能である。
【００１３】
構内交換機１００は、事業者通信網ＮＷ１と接続されるとともに、構内用電話機２００と直接またはスイッチ４００を介して接続され、構内用電話機２００と事業者通信網ＮＷ１との間の通信を接続処理する。
【００１４】
スイッチ４００は、構内交換機１００と複数の構内用電話機２００との間に配置し、構内交換機１００と複数の構内用電話機２００との間をスイッチングする。このスイッチ４００は、例えば、構内用電話機２００がＩＰ電話機等のイーサネット対応機器であれば、構内用電話機２００への電源をイーサネット（登録商標）ケーブル（カテゴリ５のより対線）で供給可能なＰｏＥ（Power over Ethernet（登録商標））スイッチが用いられる。
【００１５】
構内用電話機２００は、スイッチ４００および構内交換機１００を介して、事業者通信網ＮＷ１に接続される電話機（図示せず）や移動体通信網ＮＷ２に接続される移動端末装置３００と通話する。構内用電話機２００は、例えば、デジタル電話機やＩＰ電話機が用いられる。この構内用電話機２００は、スイッチ４００または構内交換機１００に有線で接続されるいわゆる固定電話機の形態だけでなく、構内のみで使用可能なハンディタイプの電話機の形態も含む。また、構内用電話機２００は、固定電話機と移動端末装置とが融合したＦＭＣ（Fixed Mobile Convergence）サービスの機能であるＦＭＣ連携機能の設定により、移動端末装置３００と対応付けがされるものである。
【００１６】
図２は、図１の構内交換システムに設けられる構内交換機１００の構成を示すブロック図である。  
構内交換機１００は、通信部１０１、ＦＭＣ処理制御部１０２、ＦＭＣ設定データベース（ＤＢ）１０３、および、主制御部１０４を有する。
【００１７】
通信部１０１は、構内用電話機３００と通信を行うインタフェースおよび事業者通信網ＮＷ１と通信を行うインタフェースを備え、それらの通信処理を行う。通信部１０１は、事業者通信網ＮＷ１または構内用電話機３００から制御信号を受信した場合、その制御信号を主制御部１０４へ送る。
【００１８】
ＦＭＣ処理制御部１０２は、主制御部１０４からの命令に基づきＦＭＣ処理を制御する。図３に示すように、ＦＭＣ設定データベース１０３には、ＦＭＣ連携機能の設定情報であるＦＭＣ設定情報１０３−１が記憶される。ＦＭＣ処理制御部１０２は、ＦＭＣ設定情報１０３−１を参照したり、情報を更新したりする。
【００１９】
ＦＭＣ設定情報１０３−１の例について、図４を参照して説明する。ＦＭＣ設定情報１０３−１は、構内用電話機と移動端末装置との対応付けや、ＦＭＣ連携機能の「有効」または「無効」を示す連携情報が含まれる。図４の例では、構内用電話機と移動端末装置とは、構内用電話機２００の内線番号と移動端末装置３００の電話番号とを対応付けされる。例えば、内線番号が「１２３４」の構内用電話機２００には、電話番号が「０９０−ａｂｃｄ−１２３４」の移動端末装置が対応付けされ、ＦＭＣ連携機能が有効であることを示す。また、内線番号が「１２３５」の構内用電話機２００には、電話番号が「０９０−ａａｂｂ−５６７８」の移動端末装置が対応付けされ、ＦＭＣ連携機能が無効であることを示す。以降、同様に、構内用電話機２００の内線番号と移動端末装置の電話番号とが対応付けされ、その対応付けされた組毎に、ＦＭＣ連携機能が現在「有効」であるか「無効」であるかが記憶される。このようなＦＭＣ連携機能が「有効」であるか「無効」であるかの記憶処理は、ＦＭＣ処理制御部１０２によって行われる。
【００２０】
主制御部１０４は、自らの構内交換装置１００の各部を制御するものである。例えば、事業者通信網ＮＷ１または構内用電話機２００から送られてきた制御信号を、通信部１０１から入力された場合、その制御信号に基づいて、構内交換装置１００の各部を制御する。
【００２１】
図５は、図１の構内交換システムに設けられる構内用電話機２００の構成を示すブロック図である。構内用電話機２００は、共通の構成を有するため、構内用電話機２００として構成を説明する。  
液晶ディスプレイ（ＬＣＤ）２０１、ランプ（ＬＥＤ）２０２、スピーカ２０３、ＬＣＤ制御部２０４、鳴動制御部２０５、電源２０６、電源制御部２０７、通信部２０８、ＦＭＣ設定データベース（ＤＢ）２０９、ＦＭＣ処理制御部２１０、および、主制御部２１１を有する。
【００２２】
ＬＣＤ２０１は、ＬＣＤ制御部２０４の制御に基づき情報を表示する。なお、ＬＣＤ２０１の代わりに、ＬＥＤディスプレイ等の他の表示装置を用いてもよい。ＬＥＤ２０２は、鳴動制御部２０５の制御に基づき、点灯、消灯、点滅する。なお、ＬＥＤ２０２の代わりに、他のランプを用いてもよい。スピーカ２０３は、鳴動制御部２０５の制御に基づき、着信音が出力される。
【００２３】
ＬＣＤ制御部２０４は、主制御部２１１からの命令に基づきＬＣＤ２０１を制御するものである。ＬＣＤ２０１の制御は、情報を表示したり、何も表示しなかったり等の処理が含まれる。
【００２４】
鳴動制御部２０５は、主制御部２１１からの命令に基づきＬＥＤ２０２およびスピーカ２０３を制御するものである。ＬＥＤ２０２の制御は、点滅、消灯、点滅を含み、スピーカ２０３の制御は、着信音の出力やその音量の変更等の処理が含まれる。また、鳴動制御部２０５の処理は、ＬＥＤ２０２とスピーカ２０３とを連動して制御したり、個々に制御したりする。
【００２５】
電源２０６は、構内用電話機２００の各部に電力を供給する。電源制御部２０７は、主制御部２１１の命令に基づき、電源２０６からの電力供給をオンまたはオフするように等、制御する。
【００２６】
通信部２０８は、構内交換機（ＰＢＸ）１００と通信を行うインタフェースを備える。また、その通信処理を行う。通信部２０８は、構内交換機１００から制御信号を受信した場合、その制御信号を主制御部２１１へ送る。
【００２７】
ＦＭＣ設定データベース２０９には、図６に示すように、ＦＭＣ連携機能の設定情報であるＦＭＣ設定情報２０９−１、および、自らの構内用電話機２００の消費電力を低減するための省電力モードの種類である省電力モード情報２０９−２が記憶される。ＦＭＣ設定情報２０９−１および省電力モード情報２０９−２については、後述する。
【００２８】
ＦＭＣ処理制御部２１０は、主制御部２１１からの命令に基づきＦＭＣ処理を制御する。例えば、主制御部２１１からの命令に基づいて、ＦＭＣ設定データベース２０９に記憶される情報を読み出したり更新したりする。
【００２９】
主制御部２１１は、自らの構内用電話機２００の各部を制御するものである。例えば、構内交換機１００から送られてきた制御信号を、通信部２０８から入力された場合、その制御信号に基づいて、構内用電話機２００の各部を制御する。
【００３０】
ＭＭＩ（マンマシンインタフェース）２１２は、ダイヤルキーやファンクションキー等の入力インタフェースである。ＭＭＩ制御部２１３は、ＭＭＩ２１２のファンクションキーとそのファンクションとを対応付けする等、ＭＭＩ２１２を制御するものである。
【００３１】
ここで、構内用電話機２００が有するＦＭＣ設定データベース２０９に記憶される情報について、図７および図８を参照して説明する。
【００３２】
図７は、ＦＭＣ設定データベース２０９に記憶されるＦＭＣ設定情報２０９−１の例を示す図である。  
ＦＭＣ設定情報２０９−１には、ＦＭＣ連携機能が現在「有効」であるか「無効」であるかのＦＭＣ連携機能設定の情報、および、自らの構内用電話機２００の消費電力を低減する省電力処理の設定情報が含まれる。ＦＭＣ連携機能設定の情報には、「有効」または「無効」の何れかが記憶され、省電力処理の設定情報には、省電力処理を行うモード（モードの種類については、図８で詳述する。）の情報が記憶される。例えば、図７の例では、ＦＭＣ連携機能は「ＯＮ」であり、省電力処理のモードは、「モード３」が設定されている。
【００３３】
このＦＭＣ連携機能設定の情報は、ＦＭＣ処理制御部２１０により更新される。また、省電力処理の設定情報は、予めＦＭＣ設定情報２０９−１に記憶するようにしても、ＦＭＣ連携機能設定の情報が「有効」に設定されるときに併せて更新されるようにしてもよい。
【００３４】
図８は、ＦＭＣ設定データベース２０９に記憶される省電力モード情報２０９−２の例を示す図である。  
省電力モード情報２０９−２には、省電力モードのモード番号と、そのモード番号に対応付けられる省電力処理の内容が記憶される。例えば、図８の例では、「モード０」には、省電力処理を行わないという「通常処理」が対応付けられている。「モード１」には、ＬＣＤ２０１への表示を行わないという「ＬＣＤをＯＦＦ」が対応付けられている。また、「モード２」には、ＬＥＤ２０２を消灯し、スピーカを鳴らさないという「鳴動ＯＦＦ」が、「モード３」には、ＬＣＤ２０１への表示を行わず、ＬＥＤ２０２を消灯し、スピーカを鳴らさないという「ＬＣＤ＋鳴動  をＯＦＦ」が対応付けられている。
【００３５】
このように、省電力モードのモード番号と、そのモード番号に対応付けられる省電力処理の内容が記憶される。なお、このモード番号は、ここではモード４まで示したが、その他のモード番号が記憶されてもよい。省電力処理の内容は、図８に示した内容の他に、ＬＥＤ２０２を消灯するのみの処理や、スピーカ２０３を鳴らさないだけの処理等、種々の内容を記憶することができる。
【００３６】
また、この省電力モード情報２０９−２は、自らの構内用電話機２００の省電力モードとして何れかが選択され、ＦＭＣ設定情報２０９−１の省電力処理の設定情報として、記憶される。なお、図８の例では、「モード０」に省電力処理を行わないという「通常処理」が対応付けられているが、省電力モード情報２０９−２に「通常処理」の内容を記憶せずに、ＦＭＣ設定情報２０９−１の省電力処理の設定内容に、「通常処理」もしくは「モード番号」の何れかを記憶するようにしてもよい。
【００３７】
次に、図９を参照して、ＦＭＣ連携機能の有効化の処理について説明する。  
図９は、構内交換システムにおけるＦＭＣ連携機能の有効化を行うシーケンス図である。
【００３８】
ここでは、移動端末装置（ＭＳ）３００が、構内用電話機（ＦＳ）２００−１と対応付けられているものとし、移動端末装置（ＭＳ）からＦＭＣ連携機能の有効化を行う場合を示す。
【００３９】
まず、移動端末装置３００は、移動体通信網ＮＷ２および事業者通信網ＮＷ１を介して構内交換機（ＰＢＸ）１００への所定のアクセス番号へダイヤルすることにより、ＦＭＣ連携機能の有効化を指示する（ステップＳ１０１）。構内交換機１００は、この指示の信号を受信すると、ＦＭＣ設定データベース１０３のＦＭＣ設定情報１０３−１を参照して、移動端末装置３００と対応付けられている構内用電話機を構内用電話機２００−１と判断する。そして、構内用電話機２００−１に向けて、ＦＭＣ連携機能の有効化の指示に係る信号をスイッチ（ＳＷ）４００を介して送る（ステップＳ１０２、Ｓ１０３）。
【００４０】
この指示の信号を受信した構内用電話機２００−１は、ＦＭＣ設定情報２０９−１のＦＭＣ連携機能設定の情報を「有効」となるように更新する「ＦＭＣ連携機能の有効化処理」を行う（ステップＳ１０４）。構内用電話機２００−１は、「ＦＭＣ連携機能の有効化処理」を行うと、「設定完了」を示す信号を、構内交換機２００へ向けてスイッチ４００を介して送信する（ステップＳ１０５、Ｓ１０６）。構内交換機１００は、「設定完了」を示す信号を受信した場合、ＦＭＣ設定情報１０３−１の当該連携が「有効」となるように更新する「ＦＭＣ連携機能の有効化処理」を行う（ステップＳ１０７）。構内交換機１００は、「ＦＭＣ連携機能の有効化処理」を行うと、「設定完了」を示す信号を、事業者通信網ＮＷ１および移動体通信網ＮＷ２を介して移動端末装置３００へ送信する（ステップＳ１０８）。そして、構内用電話機２００−１は、「設定完了」を示す信号を送信した後に、ＦＭＣ設定情報２０９−１の省電力処理の設定情報を参照して、省電力処理の設定情報（モード番号等）に基づいて省電力処理（省電力モードへの移行処理）を行う（ステップＳ１０９）。
【００４１】
なお、ステップＳ１０９の処理は、ステップＳ１０４とステップＳ１０５との間に行うようにしてもよい。ステップＳ１０７の処理は、ステップＳ１０１とステップＳ１０２の間に行うようにしてもよい。また、ステップＳ１０７の構内交換機１００が行う「ＦＭＣ連携機能の有効化処理」は、ステップＳ１０１にて移動端末装置３００からの「ＦＭＣ連携機能有効化」を指示する信号を受信した場合に行うようにしてもよい。つまり、ステップＳ１０７は、ステップＳ１０１とステップＳ１０２との間に行うようにしてもよい。
【００４２】
次に、図１０を参照して、構内交換機１００が行うＦＭＣ連携機能有効化の処理動作について説明する。
【００４３】
まず、ＦＭＣ連携機能有効化の信号を受信する（ステップＳ１１）。そして、ＦＭＣ連携機能有効化の処理として、ＦＭＣ設定情報１０３−１を、当該連携が「有効」となるように更新する（ステップＳ１２）。
【００４４】
次に、図１１を参照して、構内用電話機２００−１が行うＦＭＣ連携機能有効化の処理動作について説明する。なお、他の構内用電話機２００−２〜２００−ｎについても同様の処理動作を行うが、ここでは構内用電話機２００−１の処理動作として説明する。
【００４５】
まず、ＦＭＣ連携機能有効化の信号を受信する（ステップＳ２１）。そして、ＦＭＣ連携機能有効化の処理として、ＦＭＣ設定情報２０９−１のＦＭＣ連携機能の設定情報を「有効」となるように更新する（ステップＳ２２）。次に、ＦＭＣ設定情報２０９−１の省電力処理の設定情報が設定されているか否かを判断する（ステップＳ２３）。省電力処理の設定情報が設定されていない場合（ステップＳ２３でＮＯ）は、処理を終了する。省電力処理の設定情報が設定されている場合（ステップＳ２３でＹＥＳ）は、設定されている省電力処理の設定情報に基づいて、ＦＭＣ省電力処理を行い（ステップＳ２４）、処理を終了する。
【００４６】
ここで、ステップＳ２４の処理動作であるＦＭＣ省電力処理（省電力モードへの移行処理）について、図１２および図１３を参照して説明する。  
ＦＭＣ設定情報２０９−１の省電力処理の設定情報が、例えば、図８に示すモード１またはモード３のように、ＬＣＤ２０１をＯＦＦにするという設定であれば、ＬＣＤ制御部２０４に対して、ＬＣＤ表示を停止する命令の信号が出力される。この信号をＬＣＤ制御部２０４が受信すると、図１２の処理が開始される。まず、ＬＣＤ制御部２０４が、ＬＣＤ表示停止命令の信号を受信する（ステップＳ３１）。そして、ＬＣＤ表示を停止するように制御する（ステップＳ３２）。このようにして、ＬＣＤ２０１の表示を停止する。
【００４７】
また、ＦＭＣ設定情報２０９−１の省電力処理の設定情報が、例えば、図８に示すモード２またはモード３のように、ＬＥＤ２０２をＯＦＦ、または、スピーカ２０３をＯＦＦにするという設定であれば、鳴動制御部２０５に対して、ＬＥＤを消灯する命令およびスピーカ２０３を停止する命令、もしくは何れか一方の信号が出力される。この信号を鳴動制御部２０５が受信すると、図１３の処理が開始される。まず、鳴動制御部２０５が、鳴動停止命令の信号を受信する（ステップＳ４１）。そして、ＬＥＤ２０２を消灯するように、スピーカ２０３を鳴らさないように制御する（ステップＳ４２）。このようにして、鳴動を停止する。なお、ここでは、鳴動停止命令は、ＬＥＤを消灯し、スピーカを停止する命令として表記したが、ＬＥＤを消灯とスピーカ停止の何れか一方のみを命令するものであってもよい。
【００４８】
次に、図１４を参照して、ＦＭＣ連携機能の無効化の処理について説明する。  
図１４は、構内交換システムにおけるＦＭＣ連携機能の無効化を行うシーケンス図である。
【００４９】
ここでは、移動端末装置（ＭＳ）３００が、構内用電話機（ＦＳ）２００−１と対応付けられているものとし、そのＦＭＣ連携機能が有効になっている場合に、移動端末装置（ＭＳ）からＦＭＣ連携機能の無効化を行う場合を示す。
【００５０】
まず、移動端末装置３００は、移動体通信網ＮＷ２および事業者通信網ＮＷ１を介して構内交換機（ＰＢＸ）１００への所定のアクセス番号へダイヤルすることにより、ＦＭＣ連携機能の無効化を指示する（ステップＳ２０１）。構内交換機１００は、この指示の信号を受信すると、ＦＭＣ設定データベース１０３のＦＭＣ設定情報１０３−１を参照して、移動端末装置３００と対応付けられている構内用電話機を構内用電話機２００−１と判断する。そして、構内用電話機２００−１に向けて、ＦＭＣ連携機能の無効化の指示に係る信号をスイッチ（ＳＷ）４００を介して送る（ステップＳ２０２、Ｓ２０３）。
【００５１】
この指示の信号を受信した構内用電話機２００−１は、ＦＭＣ設定情報２０９−１のＦＭＣ連携機能設定の情報を「無効」となるように更新する「ＦＭＣ連携機能の無効化処理」を行う（ステップＳ２０４）。構内用電話機２００−１は、「ＦＭＣ連携機能の無効化処理」を行うと、「設定完了」を示す信号を、構内交換機１００へ向けてスイッチ４００を介して送信する（ステップＳ２０５、Ｓ２０６）。構内交換機１００は、「設定完了」を示す信号を受信した場合、ＦＭＣ設定情報１０３−１の当該連携が「無効」となるように更新する「ＦＭＣ連携機能の無効化処理」を行う（ステップＳ２０７）。構内交換機１００は、「ＦＭＣ連携機能の無効化処理」を行うと、「設定完了」を示す信号を、事業者通信網ＮＷ１および移動体通信網ＮＷ２を介して移動端末装置３００へ送信する（ステップＳ２０８）。そして、構内用電話機２００−１は、「設定完了」を示す信号を送信した後に、ＦＭＣ設定情報２０９−１の省電力処理の設定情報を参照して、省電力処理の設定情報（モード番号等）に基づいて省電力処理の解除（省電力モードの解除処理）を行う（ステップＳ２０９）。
【００５２】
なお、ステップＳ２０９の処理は、ステップＳ２０４とステップＳ２０５の間に行うようにしてもよい。ステップＳ２０７の処理は、ステップＳ２０１とステップＳ２０２との間に行うようにしてもよい。また、ステップＳ２０７の構内交換機１００が行う「ＦＭＣ連携機能の無効化処理」は、ステップＳ２０１にて移動端末装置３００からの「ＦＭＣ連携機能無効化」を指示する信号を受信した場合に行うようにしてもよい。つまり、ステップＳ２０７は、ステップＳ２０１とステップＳ２０２との間に行うようにしてもよい。
【００５３】
次に、図１５を参照して、構内交換機１００が行うＦＭＣ連携機能無効化の処理動作について説明する。
【００５４】
まず、ＦＭＣ連携機能無効化の信号を受信する（ステップＳ５１）。そして、ＦＭＣ連携機能無効化の処理として、ＦＭＣ設定情報１０３−１を、当該連携が「無効」となるように更新する（ステップＳ５２）。
【００５５】
次に、図１６を参照して、構内用電話機２００−１が行うＦＭＣ連携機能無効化の処理動作について説明する。なお、他の構内用電話機２００−２〜２００−ｎについても同様の処理動作を行うが、ここでは構内用電話機２００−１の処理動作として説明する。
【００５６】
まず、ＦＭＣ連携機能無効化の信号を受信する（ステップＳ６１）。そして、ＦＭＣ連携機能無効化の処理として、ＦＭＣ設定情報２０９−１のＦＭＣ連携機能の設定情報を「無効」となるように更新する（ステップＳ６２）。次に、ＦＭＣ設定情報２０９−１の省電力処理の設定情報が設定されているか否かを判断する（ステップＳ６３）。省電力処理の設定情報が設定されていない場合（ステップＳ６３でＮＯ）は、処理を終了する。省電力処理の設定情報が設定されている場合（ステップＳ２３でＹＥＳ）は、設定されている省電力処理を解除し（ステップＳ６４）、処理を終了する。
【００５７】
ここで、ステップＳ６４の処理動作であるＦＭＣ省電力処理解除について、図１７および図１８を参照して説明する。  
ＦＭＣ設定情報２０９−１の省電力処理の設定情報が、例えば、図８に示すモード１またはモード３のように、ＬＣＤ２０１をＯＦＦにするという設定であれば、ＬＣＤ制御部２０４に対して、ＬＣＤ表示の停止を解除する命令の信号が出力される。この信号をＬＣＤ制御部２０４が受信すると、図１７の処理が開始される。まず、ＬＣＤ制御部２０４が、ＬＣＤ表示停止解除命令の信号を受信する（ステップＳ７１）。そして、ＬＣＤ表示の停止を解除するように制御する（ステップＳ７２）。このようにして、ＬＣＤ２０１の表示を再開する。
【００５８】
また、ＦＭＣ設定情報２０９−１の省電力処理の設定情報が、例えば、図８に示すモード２またはモード３のように、ＬＥＤ２０２をＯＦＦ、または、スピーカ２０３をＯＦＦにするという設定であれば、鳴動制御部２０５に対して、ＬＥＤの消灯を解除する命令およびスピーカ２０３の停止を解除する命令、もしくは何れか一方の信号が出力される。この信号を鳴動制御部２０５が受信すると、図１８の処理が開始される。まず、鳴動制御部２０５が、鳴動停止解除命令の信号を受信する（ステップＳ８１）。そして、ＬＥＤ２０２の消灯を解除するように、または、スピーカ２０３の停止を解除するように制御する（ステップＳ８２）。このようにして、鳴動の停止を解除する。
【００５９】
（変形例）
上記実施例では、図９および図１４に示すように、ＦＭＣ連携機能の有効化または無効化の指示は、移動端末装置３００から送信されている。しかしながら、ＦＭＣ連携機能の有効化または無効化の指示は、当該連携の構内用電話機２００より行ってもよい。
【００６０】
構内用電話機２００よりＦＭＣ連携機能の有効化または無効化を行う場合は、構内用電話機２００のＭＭＩ２１２のファンクションキーの何れかを、有効化と無効化を切り替える機能に対応付けておいたり、ファンクションキーの何れかを有効化用に対応づけておいたり、もしくは、ファンクションキーの何れかを無効化用に対応づけておいたりしておき、そのようなファンクションキーが押されたことを契機として、図１０〜図１３、図１５〜１８の処理を開始するようにしてもよい。
【００６１】
以上述べたように、移動端末装置３００もしくは構内用電話機２００の何れかから、ＦＭＣ連携機能の有効化指示が行われた場合に、ＦＭＣ連携機能が有効の間、構内用電話機２００を省電力モードに移行することで、使われない構内用電話機の消費電力を低減することができる。
【００６２】
また、構内用電話機２００の省電力モードは、省電力モードの種類を選択することができるため、ユーザの使い方に合わせて柔軟に変更ができる。さらに、この省電力モードは、ＦＭＣ連携機能を有効化する際に同時に指定することもできるため、その時のみ異なる省電力モードに設定したい場合にも対応が可能である。
【００６３】
なお、本発明は、以上の構成に限定されるものではなく、種々の変形が可能である。例えば、上記実施例では、ＦＭＣ連携機能の有効化または無効化の指示は、移動端末装置３００から送信し、上記変形例では、ＦＭＣ連携機能の有効化または無効化の指示は、当該連携の構内用電話機２００より行うと記載したが、ＦＭＣ連携機能の有効化を移動端末装置３００から行い、ＦＭＣ連携機能の無効化を構内用電話機２００から行ってもよく、またその逆でもよい。
【符号の説明】
【００６４】
１００…構内交換機、１０１…通信部、１０２…ＦＭＣ処理制御部、１０３…ＦＭＣ設定データベース、１０３−１ＦＭＣ設定情報、１０４…主制御部、２００，２００−１〜２００−ｎ…構内用電話機、２０１…ＬＣＤ、２０２…ＬＥＤ、２０３…スピーカ、２０４…ＬＣＤ制御部、２０５…鳴動制御部、２０６…電源、２０７…電源制御部、２０８…通信部、２０９…ＦＭＣ設定データベース、２０９−１…ＦＭＣ設定情報、２０９−２…省電力モード情報、２１０…ＦＭＣ処理制御部、２１１…主制御部、２１２…ＭＭＩ（マンマシンインタフェース）、２１３…ＭＭＩ制御部、３００…移動端末装置、４００…スイッチ、ＮＷ１…事業者通信網、ＮＷ２…移動体通信網。 
【図１】
2011182265.tif 000003
【図２】
2011182265.tif 000004
【図３】
2011182265.tif 000005
【図４】
2011182265.tif 000006
【図５】
2011182265.tif 000007
【図６】
2011182265.tif 000008
【図７】
2011182265.tif 000009
【図８】
2011182265.tif 000010
【図９】
2011182265.tif 000011
【図１０】
2011182265.tif 000012
【図１１】
2011182265.tif 000013
【図１２】
2011182265.tif 000014
【図１３】
2011182265.tif 000015
【図１４】
2011182265.tif 000016
【図１５】
2011182265.tif 000017
【図１６】
2011182265.tif 000018
【図１７】
2011182265.tif 000019
【図１８】
2011182265.tif 000020